【手続補正書】
【提出日】平成25年5月30日(2013.5.30)
【手続補正１】
【補正対象書類名】特許請求の範囲
【補正対象項目名】全文
【補正方法】変更
【補正の内容】
【特許請求の範囲】
【請求項１】
ファクス送信を実行可能な情報処理システムであって、
ユーザからの指示に従い、複数のプロパティ項目のうちファクス番号を取得するプロパティ項目を選択する第１の選択手段と、
前記第１の選択手段により選択されたプロパティ項目を、複数のライブラリに含まれる特定のライブラリに対応付けて登録する登録手段と、
ファクス送信対象のデータを選択する第２の選択手段と、
前記第２の選択手段により選択されたデータが前記特定のライブラリに保存されているデータであるか否かを判定する判定手段と、
前記判定手段による判定の結果、前記選択されたデータが前記特定のライブラリに保存されているデータであると判定された場合に、当該選択されたデータに付与されているプロパティ項目の値のうち前記登録手段により登録されたプロパティ項目の値を取得する取得手段と、
前記取得手段が取得した値を宛先のファクス番号として設定する設定手段と、
を備えることを特徴とする情報処理システム。
【請求項２】
前記取得手段が取得する値は、前記選択されたデータを受信したときの送信元のファクス番号であることを特徴とする請求項１に記載の情報処理システム。
【請求項３】
前記取得手段が取得した値を表示する表示手段を更に備えることを特徴とする請求項１または２に記載の情報処理システム。
【請求項４】
前記判定手段による判定の結果、前記選択されたデータが前記特定のライブラリに保存されているデータでないと判定された場合は、前記登録手段により登録されたプロパティ項目の値の前記表示手段による表示を行わないことを特徴とする請求項３に記載の情報処理システム。
【請求項５】
外部装置にファクス送信の実行を依頼可能な情報処理装置であって、
ユーザからの指示に従い、複数のプロパティ項目のうちファクス番号を取得するプロパティ項目を選択する第１の選択手段と、
前記第１の選択手段により選択されたプロパティ項目を、複数のライブラリに含まれる特定のライブラリに対応付けて登録する登録手段と、
ファクス送信対象のデータを選択する第２の選択手段と、
前記第２の選択手段により選択されたデータが前記特定のライブラリに保存されているデータであるか否かを判定する判定手段と、
前記判定手段による判定の結果、前記選択されたデータが前記特定のライブラリに保存されているデータであると判定された場合に、当該選択されたデータに付与されているプロパティ項目の値のうち前記登録手段により登録されたプロパティ項目の値を取得する取得手段と、
前記取得手段が取得した値が示すファクス番号を宛先として前記選択されたデータをファクス送信するように前記外部装置に依頼する依頼手段と、
を備えることを特徴とする情報処理装置。
【請求項６】
前記取得手段が取得する値は、前記選択されたデータを受信したときの送信元のファクス番号であることを特徴とする請求項５に記載の情報処理装置。
【請求項７】
前記複数のライブラリは、前記情報処理装置の内部に備えられたライブラリと前記情報処理装置の外部に設けられたライブラリを含むことを特徴とする請求項５または６に記載の情報処理装置。
【請求項８】
前記登録手段は、前記外部装置に関連付けて、前記選択されたプロパティ項目と前記特定のライブラリを登録することを特徴とする請求項５から７のいずれか１項に記載の情報処理装置。
【請求項９】
前記登録手段は、前記外部装置のファクス機能を制御するためのファクスドライバに関連付けて、前記選択されたプロパティ項目と前記特定のライブラリを登録することを特徴とする請求項８に記載の情報処理装置。
【請求項１０】
前記登録手段は、前記ファクスドライバを特定する特定情報に関連付けて、前記選択されたプロパティ項目と前記特定のライブラリを登録することを特徴とする請求項９に記載の情報処理装置。
【請求項１１】
ファクス送信を実行可能な情報処理システムの制御方法であって、
ユーザからの指示に従い、複数のプロパティ項目のうちファクス番号を取得するプロパティ項目を選択する第１の選択工程と、
前記第１の選択工程で選択されたプロパティ項目を、複数のライブラリに含まれる特定のライブラリに対応付けて登録する登録工程と、
ファクス送信対象のデータを選択する第２の選択工程と、
前記第２の選択工程で選択されたデータが前記特定のライブラリに保存されているデータであるか否かを判定する判定工程と、
前記判定工程における判定の結果、前記選択されたデータが前記特定のライブラリに保存されているデータであると判定された場合に、当該選択されたデータに付与されているプロパティ項目の値のうち前記登録工程で登録されたプロパティ項目の値を取得する取得工程と、
前記取得工程で取得した値を宛先のファクス番号として設定する設定工程と、
を備えることを特徴とする情報処理システムの制御方法。
【請求項１２】
外部装置にファクス送信の実行を依頼可能な情報処理装置の制御方法であって、
ユーザからの指示に従い、複数のプロパティ項目のうちファクス番号を取得するプロパティ項目を選択する第１の選択工程と、
前記第１の選択工程で選択されたプロパティ項目を、複数のライブラリに含まれる特定のライブラリに対応付けて登録する登録工程と、
ファクス送信対象のデータを選択する第２の選択工程と、
前記第２の選択工程で選択されたデータが前記特定のライブラリに保存されているデータであるか否かを判定する判定工程と、
前記判定工程における判定の結果、前記選択されたデータが前記特定のライブラリに保存されているデータであると判定された場合に、当該選択されたデータに付与されているプロパティ項目の値のうち前記登録工程で登録されたプロパティ項目の値を取得する取得工程と、
前記取得工程で取得した値が示すファクス番号を宛先として前記選択されたデータをファクス送信するように前記外部装置に依頼する依頼工程と、
を備えることを特徴とする情報処理装置の制御方法。
【請求項１３】
コンピュータを請求項１乃至４のいずれか１項に記載の情報処理システムの各手段として機能させるためのプログラム。
【請求項１４】
コンピュータを請求項５乃至１０のいずれか１項に記載の情報処理装置の各手段として機能させるためのプログラム。
【手続補正２】
【補正対象書類名】明細書
【補正対象項目名】０００８
【補正方法】変更
【補正の内容】
【０００８】
本発明は、上記の問題点に鑑みなされたものであり、複数のライブラリに保存されているデータを選択してファクス送信する場合における、宛先のファクス番号を入力する手間を軽減する仕組みを提供することを目的とする。
【手続補正３】
【補正対象書類名】明細書
【補正対象項目名】０００９
【補正方法】変更
【補正の内容】
【０００９】
上記の目的を達成するために本発明の情報処理システムは、ファクス送信を実行可能な情報処理システムであって、ユーザからの指示に従い、複数のプロパティ項目のうちファクス番号を取得するプロパティ項目を選択する第１の選択手段と、前記第１の選択手段により選択されたプロパティ項目を、複数のライブラリに含まれる特定のライブラリに対応付けて登録する登録手段と、ファクス送信対象のデータを選択する第２の選択手段と、前記第２の選択手段により選択されたデータが前記特定のライブラリに保存されているデータであるか否かを判定する判定手段と、前記判定手段による判定の結果、前記選択されたデータが前記特定のライブラリに保存されているデータであると判定された場合に、当該選択されたデータに付与されているプロパティ項目の値のうち前記登録手段により登録されたプロパティ項目の値を取得する取得手段と、前記取得手段が取得した値を宛先のファクス番号として設定する設定手段と、を備えることを特徴とする。
【手続補正４】
【補正対象書類名】明細書
【補正対象項目名】００１０
【補正方法】変更
【補正の内容】
【００１０】
また、本発明の情報処理装置は、外部装置にファクス送信の実行を依頼可能な情報処理装置であって、ユーザからの指示に従い、複数のプロパティ項目のうちファクス番号を取得するプロパティ項目を選択する第１の選択手段と、前記第１の選択手段により選択されたプロパティ項目を、複数のライブラリに含まれる特定のライブラリに対応付けて登録する登録手段と、ファクス送信対象のデータを選択する第２の選択手段と、前記第２の選択手段により選択されたデータが前記特定のライブラリに保存されているデータであるか否かを判定する判定手段と、前記判定手段による判定の結果、前記選択されたデータが前記特定のライブラリに保存されているデータであると判定された場合に、当該選択されたデータに付与されているプロパティ項目のうち前記登録手段により登録されたプロパティ項目の値を取得する取得手段と、前記取得手段が取得した値が示すファクス番号を宛先として前記選択されたデータをファクス送信するように前記外部装置に依頼する依頼手段と、を備えることを特徴とする。
【手続補正５】
【補正対象書類名】明細書
【補正対象項目名】００１１
【補正方法】変更
【補正の内容】
【００１１】
本発明によれば、複数のライブラリに保存されているデータを選択してファクス送信する場合における、宛先のファクス番号を入力するための手間を軽減することができる。